(57)【要約】  ハンドルと、ハンドルに装着された剃毛用かみそりカートリッジとを備える剃毛用かみそりシステム。ハンドル内に位置付けられた部分を有する可撓性電気ブリッジは、ハンドルから剃毛用かみそりカートリッジまで延在する。可撓性電気ブリッジは、剃毛用かみそりカートリッジとハンドルとの間にループを有する。
2021515672.tif 000002
【特許請求の範囲】
【請求項１】
剃毛用かみそりシステム（１０）であって、
ハンドル（１４）と、
前記ハンドルに装着された剃毛用かみそりカートリッジ（１２）と、
前記ハンドル内に位置付けられ、かつ前記ハンドルから前記剃毛用かみそりカートリッジまで延在する部分を有する可撓性電気ブリッジ（３２）であって、前記剃毛用かみそりカートリッジと前記ハンドルとの間にループ（４６）を有する、可撓性電気ブリッジ（３２）と、を備える、剃毛用かみそりシステム（１０）。
【請求項２】
前記ループ（４６）が、上面（４８）と底面（５０）とを有し、前記ループの前記上面が、中立位置で凹状である、請求項１に記載の剃毛用かみそりシステム（１０）。
【請求項３】
前記ループ（４６）の底面（５０）が、１ｍｍ〜１０ｍｍの半径（Ｒ１）を有する、請求項１又は２に記載の剃毛用かみそりシステム（１０）。
【請求項４】
前記半径（Ｒ１）が、第２の位置における第２の位置における前記半径（Ｒ１）よりも第１の位置では小さい、請求項３に記載の剃毛用かみそりシステム（１０）。
【請求項５】
前記ループ（４６）の上面（４８）が、前記ハンドル（１４）内に位置付けられた部分（３７）の底面（４４）の下５ｍｍ〜１０ｍｍの垂直距離（ｄ１）に位置付けられている、請求項１〜４のいずれか一項に記載の剃毛用かみそりシステム。
【請求項６】
前記ループ（４６）が、３ｍｍ〜６ｍｍの幅（ｗ１）を有する、請求項１〜５のいずれか一項に記載の剃毛用かみそりシステム（１０）。
【請求項７】
前記可撓性電気ブリッジ（３２）が、前記ループ（４６）の幅（ｗ１）未満の幅（ｗ２）を有する第１の屈曲部（５２）を有している、請求項１〜６のいずれか一項に記載の剃毛用かみそりシステム（１０）。
【請求項８】
前記ループ（４６）が、前記剃毛用かみそりカートリッジ（１２）と前記ハンドル（１４）との間に位置付けられている、請求項１〜７のいずれか一項に記載の剃毛用かみそりシステム（１０）。
【請求項９】
前記可撓性電気ブリッジ（３２）が、第１の屈曲部（５２）と、第２の屈曲部（５４）と、前記第１の屈曲部と前記第２の屈曲部との間に位置付けられている前記ループ（４６）と、を有している、請求項１〜８のいずれか一項に記載の剃毛用かみそりシステム（１０）。
【請求項１０】
中立位置において、前記第１の屈曲部（５２）が、１ｍｍ〜７ｍｍの半径（Ｒ２）を有し、前記第２の屈曲部（５４）が、１ｍｍ〜１０ｍｍの半径（Ｒ３）を有する、請求項９に記載の剃毛用かみそりシステム（１０）。
【請求項１１】
前記半径（Ｒ２）が、１ｍｍ〜５ｍｍであり、前記第２の屈曲部（５４）が、２ｍｍ〜４ｍｍの半径（Ｒ３）を有する、請求項１０に記載の剃毛用かみそりシステム（１０）。
【請求項１２】
前記ループ（４６）が、前記剃毛用かみそりカートリッジ（１２）から離間している、請求項１〜１１のいずれか一項に記載の剃毛用かみそりシステム（１０）。
【請求項１３】
前記ループ（４６）の厚さが、前記ハンドル内に位置付けられた前記部分（３７）の厚さよりも薄い、請求項１に記載の剃毛用かみそりシステム（１０）。
【請求項１４】
剃毛用かみそりシステム（１０）を製造する方法であって、
回路基板（３８）をハンドル（１４）内に位置付けることと、
可撓性電気ブリッジ（３２）の第１の端部を前記回路基板に接続することと、
前記可撓性電気ブリッジの第２の端部を、エネルギー放出デバイス（１６）に接続することと、
前記可撓性電気ブリッジを曲げることによって、前記可撓性電気ブリッジ内にループ（４６）を形成することと、を含む、方法。
【請求項１５】
剃毛用かみそりカートリッジ（１２）を前記ハンドルに装着し、前記剃毛用かみそりカートリッジと前記ハンドル（１４）との間に前記ループ（４６）を位置付けること、を更に含む、請求項１４に記載の方法。
【発明の詳細な説明】
【技術分野】
【０００１】
本発明は、パーソナルケア製品に関し、より具体的には、可撓性電気ブリッジを有する湿式剃毛用かみそりに関する。
【背景技術】
【０００２】
湿式剃毛式かみそりの使用者は、一般的に、剃毛中に自身の皮膚に接する温かい感触を高く評価する。温かさは、良好な感触を与え、より快適な剃毛体験をもたらす。剃毛中に温かさを感じさせるために種々な試みがなされてきた。例えば、剃毛クリームは、剃毛クリームがシェービングキャニスタから放出されると、発熱反応をして皮膚に温かさを付与するように調合されてきた。また、かみそりカートリッジを通って熱を送達する様々な方法もまた特許文献において提案されてきた。刃を加熱することもまた特許文献において提案されており、これは体毛を切断するために必要な力を減少させることができる。安全かつ確実な方法で熱を皮膚に送達するために、追加の電子的構成要素を要してもよい。更に、電子的構成要素は、かみそりなどの消費財の内部に適合するように小型である必要がある。したがって、電気的構成要素及び取付け具は、一般的に、非常に繊細であり、容易に破損する場合がある。電気は、典型的には、ハンドル内に位置付けられた電源（例えば、電池）からハンドルに対して枢動するカートリッジに供給されなければならない。カートリッジは、電気的接続部に影響を与えることなく枢動するべきである。しかしながら、カートリッジは、その寿命にわたって数千サイクルにわたって枢動する必要があり得るため、これは困難であり得る。加えて、ハンドルとカートリッジとの間の電気的接続部は、追加の付勢力を提供することによって、カートリッジの枢動力に悪影響を及ぼし得る。
【発明の概要】
【発明が解決しようとする課題】
【０００３】
したがって、カートリッジの効率的な枢動を可能にする一方で信頼性の高い電気的接続部を提供する可撓性の電気的接続部を、剃毛用かみそりシステムのハンドルとカートリッジとの間に提供する必要性が存在する。
【課題を解決するための手段】
【０００４】
本発明は、広くは、ハンドルと、ハンドルに装着された剃毛用かみそりカートリッジとを有する単純な剃毛用かみそりシステムを特徴とする。可撓性電気ブリッジは、ハンドル内に位置付けられ、かつハンドルから剃毛用かみそりカートリッジまで延在する部分を有する。可撓性電気ブリッジは、剃毛用かみそりカートリッジとハンドルとの間にループを有する。
【０００５】
本発明はまた、広くは、ハンドルと、ハンドルに装着された剃毛用かみそりカートリッジとを有する剃毛用かみそりシステムを特徴とする。可撓性電気ブリッジは、ハンドル内に部分的に位置付けられる。可撓性電気ブリッジは、中立位置に凹状底面を有する第１の屈曲部と、中立位置に凹状底面を有する第２の屈曲部と、中立位置に凹状頂面を有するループとを有する。ループは、第１の屈曲部と第２の屈曲部との間にある。
【０００６】
本発明はまた、広くは、ハンドル内に回路基板を位置付けることによる、剃毛用かみそりのための単純で効率的な組立方法を特徴とする。可撓性電気ブリッジの第１の端部は、回路基板に接続される。可撓性電気ブリッジの第２の端部は、加熱素子に接続される。可撓性電気ブリッジを曲げることによって、可撓性電気ブリッジ内にループが形成される。
【０００７】
本発明はまた、広くは、ハンドルと、ハンドルに装着された剃毛用かみそりカートリッジとを有する剃毛用かみそりシステムを特徴とする。剃毛用かみそりカートリッジは、一次枢動軸を有する。ループを有する可撓性電気ブリッジは、剃毛用かみそりカートリッジとハンドルとの間に位置付けられる。可撓性電気ブリッジは、ハンドル内に部分的に位置付けられ、かつ剃毛用かみそりカートリッジ内に部分的に位置付けられる。可撓性電気ブリッジのカートリッジ入口点は、一次枢動軸の下に位置付けられる。
【０００８】
本発明の１つ以上の実施形態の詳細を、添付図面及び以下の明細書に記述する。特定の実施形態は、本明細書において特に明記しない限り、概して開示されているが、組み合わされて明示的に例示又は特許請求の範囲に記載されていない本発明の要素又は構成要素を組み合わせることができることが理解される。本発明のその他の特徴及び利点は、明細書及び図面、並びに特許請求の範囲から明らかとなるであろう。
【図面の簡単な説明】
【０００９】
本明細書は、本発明としてみなされる主題を詳細に示しかつ明確に特許請求する特許請求の範囲をもって完結するが、本発明は、以下の説明文を添付の図面と併せて読むことで更に深い理解がなされるものと考えられる。
【図１】剃毛用かみそりシステムの可能な一実施形態の底面図である。
【図２】図１の剃毛用かみそりシステムの一部の拡大斜視図である。
【図３】図１の線３−３に概ね沿って切り取られた、剃毛用かみそりシステムの断面図である。
【図４Ａ】図１の剃毛用かみそりシステムに組み込まれ得る電気システムの上面斜視図である。
【図４Ｂ】図４Ａの電気システムの底面斜視図である。
【図５】図４Ａの可撓性電気ブリッジの側面図である。
【図６】図４の電気システムに組み込まれ得る可撓性電気ブリッジの上面図である。
【図７】図３の部分拡大図である。
【図８】剃毛用かみそりシステムの斜視組立図である。
【図９Ａ】剃毛用かみそりシステムの一部の部分的側面組立図である。
【図９Ｂ】剃毛用かみそりシステムの部分的側面図である。
【発明を実施するための形態】
【００１０】
図１及び図２を参照すると、剃毛用かみそりシステム１０を説明する本開示の可能な一実施形態が示されている。図１は、剃毛用かみそりシステム１０の底面図である。剃毛用かみそりシステム１０はまた、歯ブラシ、電気かみそり、又は電気的接続を必要とする他の製品などの他のパーソナルケア電子製品を含んでもよいことが理解される。図２は、剃毛用かみそりシステム１０の一部の拡大図である。特定の実施形態では、剃毛用かみそりシステム１０は、ハンドル１４に装着された剃毛用かみそりカートリッジ１２を備えることができる。剃毛用かみそりカートリッジ１２は、剃毛用かみそりシステム１０の全体的な所望のコスト及び性能に応じてハンドル１４に固定的に又は枢動可能に装着することができる。ハンドル１４は、エネルギー放出装置などの電気部品１６に電力を供給する１つ以上の電池（図示せず）などの電源を保持してもよく、この電源は、加熱素子、発光源、モータ、及びレーザーを含んでもよい。以下でより詳細に説明するように、電気部品１６は、可撓性電気ブリッジ３２を介して電源（図示せず）と電気的に導通してもよい。可撓性電気ブリッジ３２は、ハンドル１４から剃毛用かみそりカートリッジ１２まで延在してもよい。可撓性電気ブリッジ３２の一部は、ハンドル１４と剃毛用かみそりカートリッジ１２との間に露出してもよい（例えば、ハンドル１４又は剃毛用かみそりカートリッジ１２と接触していない）。
【００１１】
剃毛用かみそりカートリッジ１２は、ハンドル１４に永続的に取り付けてもよく、又は取り外し可能に装着することで、剃毛用かみそりカートリッジ１２を交換可能とすることができる。図２を参照すると、剃毛用かみそりカートリッジ１２は、ガード２０と、キャップ２２と、キャップ２２とガード２０との間でハウジング１８に装着された１つ以上の刃２４と、を備える、ハウジング１８を有することができる。ガード２０は、ハウジング１８の前方部分に向かっていてもよく、キャップ２２は、ハウジング１８の後方部分に向かっていてもよい（すなわち、ガード２０は、刃２４の前にあり、キャップは、刃２４の後ろにある）。ガード２０及びキャップ２２は、ガード２０及びキャップ２２に接する剃毛平面を画定し得る。ガード２０は、刃２４に対して概ね平行に延在する中実のバー又は分割されたバーであってもよい。特定の実施形態では、ガード２０は、刃２４の前方に、剃毛ストローク中に皮膚を伸張させるための皮膚係合部材２６（例えば、複数のフィン、溝部、又は弾性パッド）を備えてもよい。皮膚係合部材２６は、ハウジング１８に対してインサート射出成形又は共射出成形されてもよい。しかしながら、接着剤、超音波溶接、又は機械的締結具などの他の既知の組立方法もまた使用されてもよい。皮膚係合部材２６は、ハウジング１８よりも軟質（すなわち、より低いデュロメータ硬度）の材料から成形されてもよい。例えば、皮膚係合部材２６は、約２０、３０又は４０〜約５０、６０又は７０のショアＡ硬度を有してもよい。より軟質の材料は、皮膚の伸張性を高めると共に、剃毛中の使用者の皮膚により好ましい感触をもたらすことができる。また、より軟質の材料により、剃毛中の使用者の皮膚に当たるハウジング１８及び／又はフィンのより硬い材料の不快な感触を感じ難くすることができる。
【００１２】
特定の実施形態では、刃２４は、ハウジング１８に装着され、１つ以上のクリップ２８ａ及び２８ｂによって固定することができる。また、当業者に既知の他の組立方法を使用して、刃２４をハウジング１８へ固定及び／又は装着させてもよく、当該方法として、ワイヤラッピング、冷間成形、熱間かしめ、インサート成形、超音波溶接、及び接着剤が挙げられるが、これらに限定されない。クリップ２８ａ及び２８ｂは、刃２４の腐食の防止に役立つ犠牲アノードとして作用するアルミニウムなどの金属を含んでもよい。５枚の刃２４が図示されているが、ハウジング１８は、剃毛用かみそりカートリッジ１２の所望の性能及びコストに応じて、これよりも多い枚数又は少ない枚数の刃を有してもよい。
【００１３】
特定の実施形態では、刃２４の前で熱を提供することが所望され得る。例えば、電気部品１６が、ガード２０の前及び皮膚係合部材２６の後に位置付けられてもよい。電気部品１６は、剃毛体験を改善するために、剃毛ストローク中に消費者の皮膚に熱を送達する皮膚接触面３０（例えば、面板）を備えてもよい。以下でより詳細に説明するように、剃毛用かみそりカートリッジ１２又はハンドル１４の一部のいずれか一方に電気部品１６を装着することができる。以下により詳細に示されるように、電気部品１６は、可撓性電気ブリッジ３２を介して電力回路（図示せず）と電気的に導通してもよい。可撓性電気ブリッジ３２は、ハンドル１４と剃毛用かみそりカートリッジ１４との間で電気信号及び電流を伝達する電気トラックを有してもよい。可撓性電気ブリッジ３２は、ハンドル１４から剃毛用かみそりカートリッジ１２まで延在してもよい。可撓性電気ブリッジ３２の少なくとも一部３５（図３に示される）は、剃毛用かみそりカートリッジ１２内に位置付けられてもよく、少なくとも一部３７は、ハンドル１４内に位置付けられてもよい。可撓性電気ブリッジ３２は、電流を伝達するための少なくとも１つの電気トラックを有してもよい。特定の実施形態では、電気トラックは、銅を含んでもよい。特定の実施形態では、可撓性電気ブリッジ３２は、組み立て中の可撓性電気ブリッジ３２の十分な可撓性を可能にするために、約０．０７Ｎｍｍ〜約０．２Ｎｍｍの幅当たりの曲げ剛性を有してもよい。曲げ剛性は、以下に示すように片面クランプ曲げビーム法によって計算することができる。
Ｆ＝Ｓ＊ｆ、曲げ剛性
【００１４】
【数１】
2021515672.tif 000003
Ｆ＝力
ｌ＝長さ
ｆ＝ｌでの変位
Ｅ＝弾性率
Ｉｙ＝慣性モーメント
【００１５】
【数２】
2021515672.tif 000004
【００１６】
キャップ２２は、ハウジング１８に装着された別個の成形品（例えば、剃毛補助剤が充填されたリザーバ）又は押出成形された構成要素（例えば、押出成形された潤滑ストリップ）であってもよい。特定の実施形態では、キャップ２２は、皮膚を支持することを補助し、剃毛面を画定する、プラスチック製又は金属製のバーであってもよい。キャップ２２は、ハウジング１８と同じ材料で成形若しくは押出成形されてもよく、又は剃毛中の快適さを増すために、１つ以上の水滲出性の剃毛補助剤材料を有するより潤滑な剃毛補助剤複合材料で成形又は押出成形されてよい。剃毛補助剤複合材料は、非水溶性ポリマーと、皮膚潤滑性の水溶性ポリマーと、を含んでもよい。使用することができる好適な非水溶性ポリマーとしては、ポリエチレン、ポリプロピレン、ポリスチレン、ブタジエン−スチレンコポリマー（例えば、中耐衝撃性ポリスチレン及び高耐衝撃性ポリスチレン）、ポリアセタール、アクリロニトリル−ブタジエン−スチレンコポリマー、エチレン酢酸ビニルコポリマー、及びポリプロピレン／ポリスチレンブレンドなどのブレンドが挙げられるが、これらに限定されず、Ｍｏｂｉｌ４３２４（Ｍｏｂｉｌ  Ｃｏｒｐｏｒａｔｉｏｎ）などの高耐衝撃性ポリスチレン（すなわち、ポリスチレン−ブタジエン）を有してもよい。
【００１７】
図３を参照すると、図１の剃毛用かみそりシステム１０の断面図が図示されている。剃毛用かみそりシステム１０は、可撓性電気ブリッジ３２と電気的に導通する回路基板３８と電気的に導通する電源３６を有する電気システム３４を含んでもよい。特定の実施形態では、電源３６は、リチウム二次電池であってもよい。プリント回路基板３８は、ＬＥＤ又は電気部品１６の熱レベルを制御するなど、電気システムの様々な動作を制御するマイクロコントローラ（図示せず）を含んでもよい（図２参照）。可撓性電気ブリッジ３２は、ハンドル１４内に位置付けられた部分３５と、カートリッジ１２内に位置付けられた部分３５と、ハンドル１４及びカートリッジ１２の外側に位置付けられているループ４６（例えば、それ自体の内部の部分開曲線）とを有してもよい。ループ４６は、それ自体と交差しなくてもよいことが理解される。ループ４６は、剃毛用かみそりカートリッジ１２がハンドル１４の長手方向軸とは異なる平面上に位置付けられることを可能にし、したがって、改善された剃毛角度（例えば、ハンドル１４の長手方向軸に対する剃毛面の角度）及び剃毛用かみそりカートリッジ１２（図１）の枢動範囲を可能にすることができる。
【００１８】
図４Ａ及び図４Ｂを参照すると、電気システム３４の上面斜視図及び底面斜視図が図示されている。以下でより詳細に説明するように、可撓性電気ブリッジ３２は、可撓性電気ブリッジ３２が異なる方向に屈曲及び捻られる際に、電気ブリッジ３２内の応力を減少させる最小半径を有する少なくとも１つのループを有してもよい。可撓性電気ブリッジ３２は、上面４２及び底面４４を有する概ね平坦な部分４０（すなわち、ハンドル１４内に位置付けられた部分３５）を有してもよい。概ね平坦な部分４０は、図３に示されるように、ハンドル１４の外側に位置付けられ、剃毛用かみそりカートリッジ１２から離間したループ４６まで延在してもよい。以下により詳細に記載されるように、ループ４６は、ハンドル１４（図１）の組み立て中に形成されてもよい。ループ４６は、凹状上面４８及び凸状底面５０を有してもよい。例えば、凸状底部５０の表面は、刃２４と概ね同じ方向に面してもよい。しかしながら、上面４８は、ハンドル１４に対する剃毛用かみそりカートリッジ１２の位置決めに応じて凸状又は凹状であってもよいことが理解される。ハンドル１４（図１）内に位置付けられた部分３５は、電気部品１６に接続されてもよい。例えば、部分３５は、電気部品１６上のプレート５６に取り付けられてもよい。プレート５６は、可撓性電気ブリッジ３２の電気部品１６へのより確実な取り付けを提供するために、第２の端部を補強するためのアルミニウム又は鋼などの金属を含んでもよい。特定の実施形態では、可撓性電気ブリッジ３２の全長は、ループ４６を有する組み立てられた状態と比較して、組み立て前の状態において約５％〜約２０％長くてもよい。ループ４６は、ハンドル１４に対する剃毛用かみそりカートリッジ１２の製造公差及び過剰な枢動又は回転に適応するために、可撓性電気ブリッジ３２の十分な緩みを提供してもよい。
【００１９】
図５を参照すると、可撓性電気ブリッジ３２の側面図が示されている。特定の実施形態では、ループ４６は、概ね平坦な部分４０（すなわち、ハンドル１４内に位置付けられた部分３７）の厚さよりも小さい総厚を有してもよい。例えば、ループ４６の厚さは、約０．０５ｍｍ〜約０．１ｍｍであってもよく、ハンドル１４と共に位置決めされた部分３７の厚さは、約０．１ｍｍ〜約０．３ｍｍであってもよい。可撓性電気ブリッジ３２は、ポリイミド、接着剤、及び銅のうちの少なくとも１つ以上の層を含み得る。ループ４６は、より高い可撓性を可能にするように、より薄くてもよい。概ね平坦な部分４０は、ハンドル内に位置付けられており、受ける応力がより低い場合があるため、同じくらい可撓性である必要はない。ループ４６の底面５０は、１ｍｍを超える半径Ｒ１を有してもよい。例えば、Ｒ１は、剃毛用かみそりカートリッジ１２（図１）の回転又は枢動に応じて約１ｍｍ〜約１０ｍｍであってもよい。剃毛用かみそりカートリッジ１２は、ハンドル１４（図１）に対して２つ以上の方向に枢動又は回転し得ることが理解される。したがって、可撓性電気ブリッジ３２は、独立して、又は同時のいずれかで屈曲し、捻れ、又はその両方であってもよい。カートリッジが枢動及び回転する際に、可撓性電気ブリッジに著しい量の応力が印加され得る。ループ４６は、第１の位置及び第２の位置を有し得る。第１の位置は、ループ４６の中立位置又は休止位置であってもよい。第２の位置は、カートリッジの枢動又は回転に応じて半径Ｒ１が第１の位置に対して増加又は減少する屈曲位置（例えば、剃毛用かみそりカートリッジ１２がハンドル１４に対して枢動するとき）であってもよい。特定の実施形態では、半径Ｒ１は、第１の位置において約１ｍｍ〜約５ｍｍであってもよく、第２の位置において約１．５ｍｍ〜約７ｍｍであってもよい。
【００２０】
可撓性電気ブリッジ３２は、中立位置において半径「Ｒ２」を有する第１の屈曲部５２と、中立位置（図示のような）において半径「Ｒ３」を有する第２の屈曲部５４とを有してもよい。ループ４６は、第１の屈曲部５２と第２の屈曲部５４との間に位置付けられてもよい。第１の屈曲部５２は、中立位置において凹状である底面５６を有してもよい。剃毛用かみそりカートリッジ１２の枢動中、第１の屈曲部５２は直線状又は凸状になり得ることが理解される。特定の実施形態では、半径Ｒ２は、１ｍｍを超えてもよい。例えば、Ｒ２は、剃毛用かみそりカートリッジ１２（図１）の回転又は枢動に応じて約１ｍｍ〜約１０ｍｍであってもよい。第１の屈曲部５２は、第１の位置及び第２の位置を有し得る。第１の位置は、第１の屈曲部５２の中立位置又は休止位置であってもよい。第２の位置は、剃毛用かみそりカートリッジ１２の枢動又は回転に応じて半径Ｒ２が第１の位置に対して増加又は減少する屈曲位置であってもよい（図１）。特定の実施形態では、半径Ｒ２は、第１の位置において約１ｍｍ〜約５ｍｍであってもよく、第２の位置において約１．５ｍｍ〜約１０ｍｍであってもよい。第２の屈曲部５４は、中立位置において凹状である底面５８を有してもよい。剃毛用かみそりカートリッジ１２の枢動中、第２の屈曲部５４は直線状又は凸状になり得ることが理解される。特定の実施形態では、半径Ｒ３は、１ｍｍを超えてもよい。例えば、Ｒ３は、剃毛用かみそりカートリッジ１２（図１）の回転又は枢動に応じて約１ｍｍ〜約１０ｍｍであってもよい。第２の屈曲部５４は、第１の位置及び第２の位置を有し得る。第１の位置は、第２の屈曲部５４の静的位置又は休止位置であってもよい。第２の位置は、剃毛用かみそりカートリッジ１２（図１）の枢動又は回転に応じて半径Ｒ３が第１の位置に対して増加又は減少する屈曲位置であってもよい。特定の実施形態では、半径Ｒ３は、第１の位置において約１ｍｍ〜約５ｍｍであってもよく、第２の位置において約１．５ｍｍ〜約１０ｍｍであってもよい。しかしながら、半径Ｒ３はまた、カートリッジ１２がどの程度枢動されるかに応じて、第２の位置において直線状又は凸状であってもよい。特定の実施形態では、Ｒ１は、Ｒ２及びＲ３よりも小さくてもよい。
【００２１】
可撓性電気ブリッジ３２は、第１の屈曲部５２とループ４６との間に第１の脚部６０を有してもよい。第２の脚部６２は、第２の屈曲部５４とループ４６との間に位置付けられてもよい。第１の脚部６０及び第２の脚部６２は、概ね直線状であり得る。特定の実施形態では、第１の脚部６０は、剃毛用かみそりカートリッジ１２（図１）に対する可撓性電気ブリッジ３２の適切な位置決めを容易にするために、第２の脚部６２よりも長くてもよい。第１の脚部６０及び第２の脚部６２は、ループ４６に概ね「Ｕ」形状プロファイルを与えることができる。
【００２２】
加えて、剃毛用かみそりカートリッジ１２への可撓性電気ブリッジの入り口は、剃毛用かみそりカートリッジの枢動軸と同じ平面上にある必要はない。したがって、ループ４６は、可撓性電気ブリッジ３２の性能に悪影響を及ぼすことなく、枢動軸の位置に対する設計柔軟性の増大を可能にする。ハンドル１４の長手方向軸は、概して、可撓性電気ブリッジ３２の概ね平坦な部分４０（the generally flat portion 40 the flexible electrical bridge 32）の底面４４に沿って延在してもよい。ループ４６の上面４８は、可撓性電気ブリッジ３２の概ね平坦な部分４０の底面４４の下方の垂直距離「ｄ１」に位置付けられてもよい。ループ４６は、ハンドル１４に対して枢動する際に、剃毛用かみそりカートリッジ１２の付勢力に大きな影響を与える可能性はない（例えば、直線状の可撓性電気ブリッジと比較して）。特定の実施形態では、ｄ１は約５ｍｍ〜約１０ｍｍであり得る。
【００２３】
図６を参照すると、可撓性電気ブリッジ３２の上面図が示されている。電気コネクタ６４は、可撓性電気ブリッジ３２の端部に位置付けられてもよい。電気コネクタ６４は、可撓性電気ブリッジ３２を回路基板３８（図３）に接続することができる。特定の実施形態では、可撓性電気ブリッジ３２は分岐されてもよい。例えば、第１の屈曲部５２は、ループ４６に向かって第１の方向に延在し、別の方向では、開口部７０の周囲に延在し、電気コネクタ６４の前で合流してまた一緒になる一対の離間したアーム６６及び６８まで延在してもよい。可撓性電気ブリッジ３２は、組み立て中に可撓性電気ブリッジ３２を適切に配置するために、ポスト７５（図７参照）などのハンドル１４の対応する部分に係合するように構成されたノッチ７２を有してもよい。ループ４６は、約３ｍｍ〜約６ｍｍ、より好ましくは約４ｍｍ〜約５ｍｍの第１の幅「ｗ１」を有し得る。第１の屈曲部５２は、ｗ１よりも小さい幅「ｗ２」を有し得る。例えば、ｗ２は約３ｍｍ〜約４ｍｍであり得る。特定の実施形態では、第１の屈曲部５２は、ネックを形成してもよい（例えば、どちらの端部におけるよりも中央においてより小さい幅を有する）。例えば、第１の屈曲部５２の幅「ｗ２」は、第１の屈曲部５２の一方の端部における幅「ｗ１」よりも小さく、かつアーム６６及び６８に向かう第１の屈曲部５２の別の端部における幅よりも小さくてもよい。特定の実施形態では、可撓性電気ブリッジ３２の第１の屈曲部５２は、可撓性電気ブリッジ３２の曲げ及び捻れに関連する応力により良好に適応するために、ループ４６よりも小さい幅を有し得る。第２の屈曲部５４は、「ｗ１」と同じである幅「ｗ３」を有し得る。
【００２４】
可撓性電気ブリッジは、同じプリント回路基板上にはない（例えば、電気デバイスの異なる位置に配置される）電気デバイス内の電気部品を接続するために一般的に使用されている。このような用途では、可撓性電気ブリッジは静的であってもよく、可撓性は、空間内の異なる位置に適応するために必要とされ得るだけであり、接続された電気部品の相対的な動きに適応するために必要とされるわけではない。インクジェットプリンタなどの他のデバイスでは、１つの部品（例えば、印刷ヘッド）は、第２の固定電気部品（例えば、プリント回路基板）に対して直線運動で移動してもよい。したがって、可撓性電気ブリッジは、部品が直線方向に移動する際の距離の変化に適応するために、平坦な形状からＵ字形の形状に変化し得る。剃毛用かみそりカートリッジは、典型的には、非線形様式でハンドル（例えば、図１）に対して枢動する。可撓性電気ブリッジ３２は、円形経路上の距離を変化させるように屈曲し、これは、可撓性電気ブリッジ３２の１つ以上の半径（例えば、ループ４６の半径）を低減及び増加させることによって達成され得る。ループ４６が直線状である場合、ハンドル１４に対するカートリッジ１２の枢動は、可撓性電気ブリッジ３２に増加した制御されていない応力を引き起こし得る。加えられた応力は、可撓性電気ブリッジ３２上の何らかの電気的接続部の破壊ももたらす可能性がある。
【００２５】
図７を参照すると、剃毛用かみそりシステム１０の拡大部分断面図が図示されている。特定の実施形態では、剃毛用かみそりシステム１０は、剃毛用かみそりカートリッジ１２が、２つ以上の軸を中心として（ハンドル１４に対して）枢動することを可能にし得る。例えば、剃毛用かみそりシステム１０は、剃毛用かみそりカートリッジ１２がそれを中心に枢動する一次枢動軸Ａ１（例えば、ページ内に延びる）を有してもよい。一次枢動軸Ａ１は、二次枢動軸Ａ２に対して直角であってもよい。特定の実施形態では、平面ＰＬ１は、一次枢動軸Ａ１を通って延在してもよく、二次枢動軸Ａ２と平行であってもよい。より最近の剃毛用かみそりは、皮膚との接触を改善するために、特に顔及び身体の輪郭領域の剃毛のために、２つ以上の枢動軸を有し得る。しかしながら、複数の枢動点は、ハンドルとカートリッジとの間の電気的接続部に著しい応力を加えることがある。電気的接続部はまた、カートリッジにおける接続点が電気的接続部と位置合わせされていない場合には、増加した応力に曝され得る。例えば、可撓性電気ブリッジ３２は、平面ＰＬ３上にある点Ｐ１で剃毛用かみそりカートリッジ１２に入ることができる。平面ＰＬ３は、ＰＬ１と平行であり、かつＰＬ１からオフセットされてもよい。したがって、点Ｐ１は、一次枢動軸Ａ１と同じ平面上に位置しなくてもよい（例えば、Ｐ１は可撓性電気ブリッジ３２上に位置してもよい）。ループ４６は、剃毛用かみそりカートリッジ１２の静的位置及び動的位置の両方において可撓性電気ブリッジ３２に加わる応力を減少させるのを助けることができる。したがって、可撓性電気ブリッジ３２は、可撓性電気ブリッジ３２上のいかなる電気的接続部も破損又は損傷することなく、ハンドル１０に対して枢動する剃毛用かみそりカートリッジ１２の数千回のサイクルに耐えることができる。ループ４６の底面５０は、一次枢動軸Ａ１の平面ＰＬ１から、約０．５ｍｍ〜約２．０ｍｍの垂直距離「ｄ２」だけ離間されてもよい。第１及び第２の屈曲部５２及び５４はまた、許容性の大きい（flexible）組立品を提供することによって、可撓性電気ブリッジ３２にかかる応力を低減することに寄与し得る。ループ４６は、可撓性電気ブリッジ３２の直線状部分と比較して、垂直位置におけるより高い可撓性を可能にする。
【００２６】
図８を参照すると、剃毛用かみそりシステム１０の拡大部分斜視図が示されている。特定の実施形態では、剃毛用かみそりカートリッジ１２は、カートリッジコネクタ７４から取り外し可能であってもよい。カートリッジコネクタ７４は、ハンドル１４の近位端７６に取り付けられてもよい。例えば、カートリッジコネクタ７４上の一対のアーム７８及び８０は、ハンドル１４の対応するアーム８２及び８４に係合することができる。特定の実施形態では、カートリッジコネクタ７４は、ハンドル１４に対して枢動してもよい。したがって、カートリッジ１２がカートリッジコネクタ７４に装着されると、カートリッジ１２は、カートリッジコネクタ７４と共に枢動することができる。エネルギー放出デバイス１６は、剃毛用かみそりカートリッジ１２の開口部８６内に受容されてもよい。図８に示されるように、可撓性電気ブリッジ３２は、剃毛用かみそりカートリッジ１２がハンドル１４（例えば、カートリッジコネクタ７４）から分離されたときでもなおループ４６を有することができる。可撓性電気ブリッジ３２の部分３５は、剃毛用かみそりカートリッジ１２がハンドル１４（例えば、カートリッジコネクタ７４）に装着されるときに、剃毛用かみそりカートリッジ１２内に位置付けられることができる。
【００２７】
図９Ａ及び図９Ｂを参照すると、剃毛用かみそりシステム１０の側面図が、１つの可能な未組み立て位置及び１つの可能な組み立て位置でそれぞれ示されている。特定の実施形態では、可撓性電気ブリッジ３２は、可撓性電気ブリッジ３２の少なくとも部分３７がハンドル１４内に位置付けられるように、ハンドル１４に固定されてもよい。次いで、可撓性電気ブリッジ３２は、カートリッジコネクタ７０に固定されてもよい。可撓性電気ブリッジ３２は、カートリッジコネクタ７０がハンドル１４に装着される前に概ね直線状であってもよい。しかしながら、可撓性電気コネクタ３２は屈曲してもよく、図９Ｂに示されるように、カートリッジコネクタ７０がハンドル１４に装着され固定されると、ループ４６が形成されてもよい。カートリッジコネクタ７０は、図９Ａの矢印によって示されるように、ハンドル１４に向かって移動され得る。ハンドル１４のアーム７８及び８０は、カートリッジコネクタ７０の対応するアーム７４、７６を定位置に受容及び固定するように構成されてもよい。固定具８２は、可撓性電気ブリッジ３２と接触し、可撓性電気ブリッジ３２に対して力を適用して、ループ４６が適切な方向に形成されるように、可撓性電気ブリッジ３２を屈曲させることができる。カートリッジコネクタ７０が一旦ハンドル１４に装着されたら、ループ４６は永久的であってもよく、固定具８２は取り外されてもよい。
【００２８】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味するものとする。
【００２９】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１】
2021515672.tif 000005
【図２】
2021515672.tif 000006
【図３】
2021515672.tif 000007
【図４Ａ】
2021515672.tif 000008
【図４Ｂ】
2021515672.tif 000009
【図５】
2021515672.tif 000010
【図６】
2021515672.tif 000011
【図７】
2021515672.tif 000012
【図８】
2021515672.tif 000013
【図９Ａ】
2021515672.tif 000014
【図９Ｂ】
2021515672.tif 000015
【国際調査報告】
2021515672.tif 000016
2021515672.tif 000017
2021515672.tif 000018